(57)【特許請求の範囲】
【請求項１】
計量セルと、計量皿と、上記計量セルに荷重を伝達する計量皿キャリア装置と、少なくとも二つの異なる分銅（１５、２５、２６、２７、２８、２９）と、上記分銅（１５、２５、２６、２７、２８、２９）のそれぞれを受ける位置を有する分銅受け装置（１９）を備え、分銅セット（２）が上記分銅を個別に垂直方向へ移動させるための各分銅につき一個のリフターユニット（１７）を備え、上記リフターユニットが分銅載せ装置を有し、上記分銅受け装置を貫通して延びている電子秤用分銅セットにおいて、上記リフターユニットが互いに同一のものであり、上記分銅セット内で互いに平行に配置されていることを特徴とする電子秤用分銅セット。
【請求項２】
上記リフターユニット（１７）が個別に交換可能であることを特徴とする請求項１記載の分銅セット。
【請求項３】
上記各リフターユニット（１７）が上記分銅（１５、２５、２６、２７、２８、２９）を垂直方向に移動させるための駆動ユニット（４２）を有し、上記分銅を下降させて上記分銅受け装置（１９）に載せたり、上記分銅を上記分銅受け装置から持ち上げたりするようにしたことを特徴とする請求項１または２記載の分銅セット。
【請求項４】
上記分銅受け装置（１９）を、荷重を伝達する上記計量皿キャリア装置に連結し、上記分銅受け装置の重心が上記計量皿の重心を通る鉛直線上に位置していることを特徴とする請求項１乃至３のいずれかに記載の分銅セット。
【請求項５】
上記分銅受け装置（１９）を、荷重を伝達する上記計量皿キャリア装置から吊り下げたことを特徴とする請求項４に記載の分銅セット。
【請求項６】
上記分銅受け装置（１９）を、荷重を伝達する上記計量皿キャリア装置に、上記分銅（１５、２５、２６、２７、２８、２９）を上記分銅受け装置に載せたときにトルクが伝わらないように設計した連結部材（２４）を介して接続したことを特徴とする請求項５記載の分銅セット。
【請求項７】
上記分銅受け装置（１９）が、上記分銅（１５、２５、２６、２７、２８、２９）を受ける受け開口部（３２）と、上記リフターユニット（１７）のための開口部（３３）を備えた二枚の平行に離して配置した垂直キャリアプレート（３０）から主に構成され、上記受け開口部が上記分銅に適合した形状と大きさを有していることを特徴とする請求項１乃至６のいずれかに記載の分銅セット。
【請求項８】
ホルダー装置（４０）を備え、このホルダー装置が、上記リフターユニット（１７）のための開口部（１８、１８´）および／または上記分銅（１５、２５、２６、２７、２８、２９）のための別の開口部（１４、１４´）を有する間隔をおいて平行に配置した二枚の直立したプレート（１１、１１´）から成り、上記別の開口部（１４、１４´）が上記分銅に合う形状を有することを特徴とする請求項１乃至７のいずれかに記載の分銅セット。
【請求項９】
上記リフターユニット（１７）が、上記ホルダー装置（４０）の上記プレートのうちの一枚（１１）に取り付けられていることを特徴とする請求項８に記載の分銅セット。
【請求項１０】
上記分銅受け装置（１９）が、上記リフターユニット（１７）のための上記ホルダー装置（４０）の上記二枚のプレート（１１、１１´）の間のスペース内に配置されていることを特徴とする請求項８または９に記載の分銅セット。
【請求項１１】
上記分銅（１５、２５、２６、２７、２８、２９）が多角形の断面をもつ細長い本体を有することを特徴とする請求項１乃至１０のいずれかに記載の分銅セット。
【請求項１２】
上記分銅（１５、２５、２６、２７、２８、２９）が円形または楕円形のシリンダーベースを有する円筒形に形成されたことを特徴とする請求項１乃至１０のいずれかに記載の分銅セット。
【請求項１３】
上記分銅（１５、２５、２６、２７、２８、２９）をその長軸が互いに平行になるように上記分銅セット（２）内に配置したことを特徴とする請求項１１または１２に記載の分銅セット。
【請求項１４】
上記分銅（１５、２５、２６、２７、２８、２９）と上記リフターユニット（１７）をそれぞれの長軸が互いに平行になるように上記分銅セット（２）内に配置したことを特徴とする請求項１３に記載の分銅セット。
【請求項１５】
上記分銅（１５、２５、２６、２７、２８、２９）を、上記分銅受け装置（１９）におよび／または各分銅のための分銅載せ装置に安定した状態で載せるために、位置決めと収容のための溝を上記分銅に設けたことを特徴とする請求項１乃至１４のいずれかに記載の分銅セット。
【請求項１６】
上記分銅（１５、２５、２６、２７、２８、２９）が非磁性材料製であることを特徴とする請求項１乃至１５のいずれかに記載の分銅セット。
【請求項１７】
上記分銅（１５、２５、２６、２７、２８、２９）を、上記分銅受け装置（１９）の上記キャリアプレート（３０）を垂直に通る面を中心とする鏡像を成すように面対称に配置したことを特徴とする請求項１乃至１６のいずれかに記載の分銅セット。
【請求項１８】
上記分銅（１５、２５、２６、２７、２８、２９）が、二進（バイナリー）で系列化された単位の重さを有することを特徴とする請求項１乃至１７のいずれかに記載の分銅セット。
【請求項１９】
上記二進（バイナリー）で系列化された単位の重さをそれぞれ、複数の別々の分銅に分割可能であることを特徴とする請求項１８に記載の分銅セット。
【請求項２０】
上記二進（バイナリー）で系列化された単位の重さを有する上記別々の分銅を、上記分銅受け装置（１９）の上記キャリアプレート（３０）を垂直に通る面を中心とする鏡像を成すように面対称に配置したことを特徴とする請求項１９に記載の分銅セット。
【請求項２１】
上記分銅（１５、２５、２６、２７、２８、２９）から選択した組み合わせを上記分銅セット（２）に装備することにより、秤の最大荷重の変更が可能であることを特徴とする請求項１乃至２０のいずれかに記載の分銅セット。
【発明の詳細な説明】
【０００１】
【技術分野】
本発明は、電子秤特に比較測定秤用分銅セットに関する。秤は、計量セルと、計量皿と、計量皿を支持し荷重を計量セルに伝達する機構を有している。分銅セットは少なくとも二つの異なる分銅と少なくとも二か所の受け位置から成り、受け位置はそれぞれ分銅の一個に割り当てられている。
【０００２】
【従来技術】
比較測定秤は、被計量物の質量や体積を正確に計測するために使用される。公的な計量検査機関では、このタイプの秤が多く用いられている。
【０００３】
ＥＰ−Ａ−１  ０９８  １７７は、検査分銅の自動校正装置を開示している。この装置は計量ユニットとプロセッサユニットのほかに三つの異なる計量皿を備え、それぞれに基準分銅と補正分銅と検査分銅が置かれる。検査分銅は、計量皿の開口部を通って延びる分銅交換装置を備えた単一の計量皿か、互いに上下に配置した複数の皿で計量される。後者の場合、複数の皿はそれぞれ検査分銅の載せ下ろしを行うフォーク状機構を備えている。分銅交換装置は、外部の基準分銅と検査分銅を受けるように設計されている。さらに、この装置は、内部に同心状に配置した内蔵リング形補正分銅を、同様に同心状に配置したリング形リフト機構に載せ、補正分銅を別々に計量皿へ載せ下ろしするようにしている。この装置は、検査分銅の自動測定を、「デリバティブ分銅校正」の原理により短時間で人手をかけずに行う場合に適している。
【０００４】
分銅の上げ下ろしを行う装置は秤において、特に内蔵校正装置を備えた実験室用秤において公知である。この種の装置はＥＰ−Ａ−０  ９５５  ５３０に開示されている。細長い校正用分銅がフォーク状受け器に載るように配置され、受け器は、力伝達機構の第一のレバーが有する入力レバーアームの延長部分に取り付けられている。電動式持ち上げ装置は、校正用分銅がカウンターホルダーに嵌まって固定される固定位置にあるストッパーから校正用分銅を持ち上げたり、フォーク状受け器まで校正用分銅を下ろしたりする働きをする。分銅は円筒形で、その周囲に、受け器に嵌め込むための環状溝と、カウンターホルダーに嵌め込むための追加の溝が切られている。
【０００５】
二つの内蔵校正用分銅を有する秤は従来技術において同様に公知であり、二つの分銅を並置した構造はたとえば米国特許４５６６５４８号が開示している。二つの分銅を互いに上下に配置した構造、好ましくは計量皿の重心から真下に配置した構造は、特開平１０−１９６５２号が開示している。いずれの場合も、モータ駆動のリフト装置が、校正用分銅の一方または両方を、秤の荷重受け部に接続された受け装置に載せるようになっている。
【０００６】
ほぼ同一の質量を有する二個または四個の校正用分銅を備えた装置は、特開平９−４３０４３号が開示している。この装置では、計量位置にある分銅が、計量皿の中心を通る垂直軸に対し左右および／または前後に等しい距離をおいて水平面上に配置されている。単一のモータで駆動される機構により、分銅が別々に上げ下げされ、秤の荷重検知要素がオンオフされる。この装置は、校正機能のほかに、偏心荷重エラーや直線性エラーを検出する機能を有する。
【０００７】
従来技術による装置には、それぞれの分銅セットに属する個々の分銅を上げ下げして計量皿をオンオフする駆動源が一つだけしかないため工程に長時間を要するという欠点や、個々に駆動源が設けられていても配置が入り組んでおり複雑な機構が必要であるという欠点がある。
【０００８】
特に、ＥＰ−Ａ−１  ０９８  １７７は、三個の異なる計量皿を備えた複雑な構造を有する計量装置を開示している。この構造は、本発明が開示している特定の方法にだけ適合し、順応性に乏しくモジュラー化できる可能性がほとんどない。また、リング形の同心状に配置された内蔵の補正分銅を上げ下げして計量皿へ載せ下ろしする機構は、構造が複雑である。なぜなら、個々のリフト装置が、動かそうとしている補正分銅まで延びるために、互いに係合しなければならないからである。さらに、個々のリフト装置を点検する時に装置へのアクセスが困難であると考えられる。したがって、本発明の目的は、特に水平方向に分銅セットが大きなスペースをとらず、モジュラー化が可能な構成を有し、点検を要する場合にリフト要素の交換が簡単であるという特徴を有する秤用分銅セットを提供することにある。
【０００９】
【発明の要約】
上記の目的は、請求項１記載の特徴を有する分銅セットによって達成される。計量セルと、計量皿と、計量皿を載せ計量セルまで荷重を伝達する装置とを有する電子秤は、少なくとも二個の異なる分銅と、それぞれの分銅の受け器を有する分銅受け装置を備えている。各分銅のためのリフターユニットは、分銅を載せるための装置を備え、分銅受け装置を介して延び、個々の分銅をそれぞれ上下に移動させる。リフターユニットはみな同一で、分銅セット内で互いに平行に配置されている。
【００１０】
本発明は、それぞれの分銅のために設けた個々のリフターユニットにより、計量皿への分銅の載せ下ろしがすばやくできるという利点を有している。リフターユニットと分銅を平行に配置したため、分銅受け装置に分銅を置き、続いて分銅を取り除くという機能が、機械的にあまり複雑でない構造において実現できる。また、アクセス性が良好で、リフターユニットの個々の部品が交換可能なので、点検が容易である。さらに、本発明の思想によれば、分銅セット内の分銅がコンパクトに配置され装置の幅を狭くできるので、偏心荷重エラーが高い割合で防止できる。
【００１１】
各リフターユニットは、分銅を分銅受け装置に置き、続いて分銅を取り除くため、モータ駆動による垂直方向への移動を行う駆動ユニットを備えている。
【００１２】
好ましい実施例において、分銅受け装置は、計量皿を支持し荷重を伝達する装置から吊り下げられ、分銅受け装置の重心は計量皿の重心から鉛直方向の真下にある。特に、分銅受け装置と計量皿支持装置との間に、分銅受け装置に分銅を置いた時に発生するトルクをほとんど伝達しない連結部材がある。
【００１３】
有利な実施例において、分銅受け装置は、ある距離をおいて互いに平行に移動する二枚のキャリアプレートから成り、分銅の形状に合わせた分銅受け用開口部と、リフターユニット用開口部を有する。
【００１４】
特に、本発明による分銅セットを備えた秤は、ある距離をおいて互いに平行に移動する二枚のキャリアプレートから成るホルダー装置を備え、リフターユニットのための切欠部および／または分銅のための切欠部を有し、分銅のための切欠部は分銅の形状に合わせて形成されている。この構造のリフターユニットがホルダー装置のプレートの一方に取り付けられ、ホルダー装置の全体が秤のハウジングに取り付けられている。分銅受け装置は、ホルダー装置の二枚のプレートの間に配置されている。
【００１５】
本発明を発展させた有利な実施例において、分銅は正多角形の断面を有する細長い形状か、円形または楕円形の断面を有する細長い形状を有している。
【００１６】
分銅は、好ましくは非磁性材料製で、位置決めと収容のための溝が切られているため、分銅受け装置および／または収容装置に確実に載せることができる。
【００１７】
分銅セット内の分銅は、キャリアプレートを垂直に通る面を中心とする鏡像を成すように面対称に配置するのが特に好ましい。分銅の重さは、ベースユニットである１ｋｇの二進（バイナリー）の倍量単位と分量単位（すなわち、２の整数乗の数を掛けた値）で系列化されている。このことにより、秤の設計における最大値と最小値の間の連続した範囲で検査分銅の計量が可能である。
【００１８】
また、秤の最大荷重は、分銅全部ではなく、分銅セットから選択して組み合わせた分銅を装備することによって決まる。
【００１９】
本発明による秤用分銅セットおよび秤内での分銅セットの配置の詳細は、図面に示した比較測定秤の実施例に関する説明によって明らかにする。
【００２０】
【発明の実施の形態】
図１は、大荷重用比較測定秤の一部の斜視図である。この図は、計量装置を収容しているハウジングを主に示す。この図が示す計量装置の唯一の部分は、ハウジング１の下部に配置された分銅セット２である。ハウジング１自体は、秤全体が水平に保たれるように高さを調節できる三本の脚３で立っている。計量セル（図示せず）を収容する別個の計量セルハウジング４が、ハウジング１の上部にある。荷重を計量セルへ伝達し、計量皿（図示せず）を計量セルに接続する接続片５が、計量セルハウジング４の通路開口部を通って上方へ突出している。接続片５は、計量セルへのアクセスを防ぐとともに計量皿をエアドラフトから保護することを主目的とするシールド装置７の長方形凹部６の中央に配置されている。上部フロントパネル８と、サイドパネル９と、リアパネル１０が、追加の保護手段となっている。これらの保護パネルは、ハウジング１の板状金属部分である。
【００２１】
分銅セット２は、通常は下部フロントパネル（わかりやすくするため図示せず）で覆われており、二枚のプレート１１、１１´から成るホルダー装置を有している。ただし、この図ではプレートの一方だけを示す。ホルダー装置は中間床１２に取り付けられ、ハウジング１の底床１３まで届いている。六角形の断面を持つ異なる大きさの複数の分銅１５、２５、２６、２７、２８、２９が、六角形の開口部１４を通ってプレート１１から突き出ている。分銅１５、２５、２６、２７、２８、２９のそれぞれの下方にあるのは、分銅１５、２５、２６、２７、２８、２９のそれぞれに対応する個々のリフターユニットの後面１６である。リフターユニットは、保持リングを用いてプレート１１に個々に取り付けられている。各リフターユニットは、分銅受け装置を有するが、これについては以下に詳しく述べる。
【００２２】
図２は、分銅セット２の全体を示す。分銅セット用ホルダー装置のプレート１１´は、図１のプレート１１の反対側に位置し、見る者の方へ延び、前面の観察位置に対して角度をなしている。分銅セット２は、分銅１５、２５、２６、２７、２８、２９と、分銅受け装置１９と、リフターユニット１７と、各リフターユニットに取り付けた分銅受け装置から成る。分銅セット２は、互いに離して配置した直立した二枚のプレート１１、１１´から成るホルダー装置４０の内部に収容されている。
【００２３】
ホルダー装置４０は、互いに平行に配置されたリフターユニット１７を固定および案内し、分銅受け装置１９を保護および案内し、同様に互いに平行に配置された分銅１５、２５、２６、２７、２８、２９を案内する働きをする。したがって、プレート１１、１１´は、分銅１５、２５、２６、２７、２８、２９のための六角形の開口部１４、１４´と、リフターユニット１７のためのほぼ円形の開口部１８、１８´を有する。プレート１１´において、六角形の開口部１４は、狭い材料部分（図４参照）によりほぼ円形の開口部１８から分離されている。二枚のプレート１１、１１´は、スペーサ材２１で互いに一定の距離に保持されている。下端の両側に、Ｌ字形の断面をもつ安定材２２が追加されている。ホルダー装置を中間床１２に固定するために、接続バー２３がプレート１１、１１´の上辺に取り付けられている。
【００２４】
分銅受け装置１９は、ホルダー装置４０内の二枚のプレート１１、１１´の間に配置されている。連結部材２４が、荷重を計量セルへ伝達する吊り下げ要素から分銅受け装置１９を吊り下げている。また、吊り下げ要素は、計量皿を載せる接続片５を保持している（図１参照）。
【００２５】
図示した分銅セット２は、大きさと呼び重量が異なる全部で１６個の分銅１５、２５、２６、２７、２８、２９を有している。各分銅の重さは、基本単位の１ｋｇの二進の倍量単位と分量単位（すなわち、１ｋｇに２の整数乗の数を掛けた値）であり、最大６４ｋｇまでのあらゆる組み合わせの分銅を分銅受け装置１９に載せることができる。しかし、二進の最大値すなわち３２ｋｇと１６ｋｇは、８ｋｇの同一重量の分銅で構成されるので、セットに含まれる分銅の一つの呼び重量の最大値は８ｋｇである。分銅１個の最大重量を８ｋｇとすることによって、すべての分銅１５、２５、２６、２７、２８、２９に同じリフターユニット１７を用いることが可能になる。６個の８ｋｇ分銅１５は、分銅セット２の上部に配置されている。８ｋｇの呼び重量は二個の４ｋｇ分銅２５で表わされるが、これらの４ｋｇ分銅は、分銅セット２の仮想の対称軸の左右に、上端と下端のほぼ中間に配置されている。三個目の４ｋｇ分銅２５は、上記二個の４ｋｇ分銅の下方の中央に支持されている。その上の中央部に２ｋｇの分銅が一個支持されている。１ｋｇの呼び重量は、対称性を保つためおよびスペースの節約のために、二個の５００ｇ分銅で表わされる。同様に５００ｇの呼び重量は二個の２５０ｇ分銅で、２５０ｇの呼び重量は二個の１２５ｇ分銅で表わされる。任意の重量を構成するために必要な分銅を分銅受け装置１９に一度に載せるのはもちろんである。分銅１５、２５、２６、２７、２８、２９を上記のように配置するのは、分銅セット２を所望のコンパクトなサイズにまとめ、分銅を釣り合いの取れた状態に置くことによってたとえば偏心荷重を防止するのが目的である。
【００２６】
比較測定秤に上記の分銅セットを用いるために、分銅が高度に正確である必要はない。実際、分銅は呼び重量に対して０．５ｇ程度までの誤差を有していてもよい。その理由は、比較測定秤の作動原理にある。すなわち、検査分銅が基準分銅と比較されるのであり、また、本願の比較測定秤はいわゆる「ウインドウ・コンパレータ」であり、このような秤では機械的手段は仮の平衡状態を作り出すのに用いられ、比較的小さな重さの違いだけが電磁力補償の原理を用いて電子的に測定されるため、分銅にはそれほど高い精度は求められ乃至たがって、標準的な市販のバーストック材料を用いて分銅製造コストの節減を図ることも考えられるが、たとえば黄銅のような非磁性材料で分銅は製造するのが好ましい。
【００２７】
分銅１５、２５、２６、２７、２８、２９を分銅受け装置１９に載せ下ろしするために用いる別々に設けられた同一形状の１６個のリフターユニット１７は、分銅の長さ方向に平行に配置され、プレート１１、１１´と分銅受け装置１９を通って延びている。リフターユニット１７の機能は、図５に基づき説明する。
【００２８】
図３が示すように、分銅受け装置１９は、離して配置され、横方向に延びる円筒形部材３１により互いに接続された二枚の平行に延びる直立したキャリアプレート３０から成る。分銅受け装置１９の上端には、複数の開口部を有し、直立したキャリアプレートと直角を成すキャリア３４がある。キャリア３４の中央には、分銅受け装置を計量セルに接続する連結部材２４（図２参照）を取り付けるための四個のねじ孔３５を有する凹部３６がある。
【００２９】
分銅受け装置１９のキャリアプレート３０はそれぞれ、分銅１５、２５、２６、２７、２８、２９を受ける全部で１６個の六角形の受け開口部３２と、リフターユニット１７が通る１３個の四角形の開口部３３を有している。別の三個のリフターユニット１７は、底部の三つの受け開口部の下方に配置され、分銅受け装置１９を貫通してはいない。受け開口部３２のそれぞれの大きさは、開口部が受ける分銅１５、２５、２６、２７、２８、２９の大きさに合わせてある。
【００３０】
分銅受け装置１９内での分銅１５、２５、２６、２７、２８、２９の配置は、計量装置の幅を相当小さくするように設計されているので、偏心荷重の大部分が防止される。また、分銅受け装置１９を収容するために、底床１３と中間床１２の間のスペースの高さ全体が利用できる。分銅受け装置１９自体の重さは、分銅セット２の静荷重を最小にするために非常に小さく保たれている。それゆえ、キャリアプレート３０は、軽量の金属製で、下端へ向かって幅が狭くなるように形成するのが好ましい。さらに、分銅受け装置１９の軽量化という設計上の要請にこたえて、分銅１５、２５、２６、２７、２８、２９とリフターユニット１７はなるべく狭い間隔で配置されている。
【００３１】
本発明による分銅セット２はモジュラー化の思想に基づいて設計されており、すべての受け位置に分銅を載せる必要がない。分銅を対称的に配置しているので、たとえば六個の８ｋｇ分銅を省略して、秤（特に比較測定秤）の荷重上限を１６ｋｇにするといったことも可能である。あるいは、８ｋｇ分銅のうち四個だけを省略して、秤の荷重上限を３２ｋｇにすることもできる。秤の機械的な構造に一切変更を加えずに秤の荷重上限を設定するために、分銅の他の組み合わせを用いることも考えうる。このように、最大荷重の変更は、分銅セットから分銅を選択するだけで可能である。
【００３２】
図４は、ホルダー装置４０を示す。この図も同様に斜視図である。プレート１１の開口部１４、１８とプレート１１´の開口部１４´、１８´の開口部の差異は、すでに図２で説明したが、図４がより明確に示している。開口部１８は、下側の直線状部分を除けばほぼ全体が円形である。開口部１８の直線状部分に、外縁の直線状部分を除けば全体が円形の輪郭をもつリフターユニット１７の直線状部分が載ることにより、開口部１８に入ったリフターユニット１７が回転しないようになっている。また、この図からわかるように、プレート１１´に形成されたリフターユニット１７用の開口部１８´は、上側と下側に長方形の延長部分を有している。プレート１１と１１´の間に配置されたスペーサ材２１はそれぞれ、プレート１１、１１´に近い部分の内側に形成された二か所の切欠部３７を有する。切欠部は、分銅受け装置１９の二枚のキャリアプレート３０を案内する働きをする。
【００３３】
図５は、リフターユニット１７を側面から三次元的に示す。非使用時には、分銅１５、２５、２６、２７、２８、２９（図５には示さず）は、分銅受け装置に置かれている。分銅受け装置は、リフターユニット１７の円筒形本体４４を貫く二本のリフターボルト３８から成る。リフターボルトは互いに離れて、円筒形本体４４の長軸に対して直角に配置され、円筒形本体４４を上下方向に貫いて突出している。リフターボルト３８は、分銅を所定の位置に載せるために、上部にＶ字形切込み３９を有している。少なくとも切込みの一方３９には、分銅１５、２５、２６、２７、２８、２９に設けた位置決め溝のそれぞれに係合する横断方向に延びるボルトが支持されている。図５は横断ボルト自体は示していないが、横断ボルト用の孔４５を示している。リフターボルト３８は端部で接続バー４１に連結され、リフターボルトが上下に動く際に垂直軸を中心とする回転を防止している。リフターユニットの一部であるモータ４３を備えた駆動ユニット４２は、図５の右側に示されている。リフターボルトはそれぞれ、駆動ユニット４２の一部をなす偏心器（円筒形本体４４の内部に配置されているため、図示せず）に載っている。駆動シャフト４６に固定されたディスク４７は、互いに１８０度の角度に配置された二本のペグ４８、４８´を有する。ペグ４８、４８´は、リフターボルト３８の上限と下限の位置を設定するストッパーとして働く。したがって、リフターユニット１７は、分銅１５、２５、２６、２７、２８、２９を垂直に、すなわち分銅の長さ方向と直角に移動させる。
【００３４】
リフターユニット１７は、ホルダー装置４０から簡単に取り外せる。また、修理などの際、両者を個別に交換することができる。
【００３５】
上記の大秤量の比較測定秤、特にいわゆる「ウインドウ・コンパレータ」は、重量を正確に測定するために用いられる。比較測定秤で試験されるものの例として、主に標準的な設計のもので、公的な計量検査機関で用いられる分銅が挙げられる。この場合、計量皿には一つまたは複数の検査分銅が置かれる。あるいは、あらゆる種類や形状の工業製品を被計量物とすることが可能で、たとえばタービンブレードのような物を計量することもある。この場合、タービンの複数のブレードが有する重量を極めて正確に釣り合わせる必要があるためである。
【００３６】
本明細書中で説明してきたいわゆる「ウインドウ・コンパレータ」は、常に公称の全荷重が使用されるので、常に同じ荷重が計量セルにかかった状態になっている。上記の全荷重を達成するため、試験対象である被計量物の重量が本発明の分銅セットの分銅のような分銅を用いて機械的に補償され、電子的に補償されるのは狭い計量範囲の差だけである。電子的な計量範囲は適当な幅と分解能をもつように選択されるので、電子計量システムの回路から発生するノイズが主な原因となった計量エラーが起こることはない。
【００３７】
機械的補償は、秤のビームが有する二本のレバーアームにそれぞれかかる荷重の間で行われる。すなわち、アームの一方には、試験対象の一個または複数の分銅および分銅セットの分銅受け装置が支持され、他方には、釣り合いおもりが支持される。二本のレバーは適切に組み合わせた分銅セットの分銅を分銅受け装置に載せてラフに釣り合わせるので、残った二本のレバー間の荷重の差は、分銅セットの重量の分銅一個の重量より小さくなる。これは分銅の重量を倍々に増えるように設定しているためである。
【００３８】
上記の残った荷重の差は、電子的な力補償の原理によって電子的に補償される。それゆえ、電子的に補償しなければならない重量の差は、最大でも分銅セットの二進の系列における最軽量の分銅の重さまでとすることができるので、大重量の検査分銅であっても、正確に重量を測定できる。
【００３９】
上記の比較測定秤には、さらに、検査分銅を一個ずつまたはまとめて次々に秤に載せるための荷重交換装置を取り付けることもできる。このような装置を用いれば、直接、間接の方法により検査分銅の重量を正確に決定する工程を自動化することが可能である。
【００４０】
上記の比較測定秤は、分銅セット２の分銅の二進の系列を用いて、残った荷重の差を電子的に補償することで補えば、メートル法に基づく検査分銅の極めて正確な校正が可能であるだけでなく、非メートル法の検査分銅や任意の重量を有する工業製品の校正も可能である。言い換えれば、比較測定秤は、６４ｋｇまでの連続した範囲で重量の測定が可能である。
【００４１】
分銅セットの分銅の構成に、さらに多様な可能性があることは、言うまでもない。具体的に言えば、断面がたとえば三角形、正方形、長方形、その他の正多角形などさまざまな形状を有する細長い分銅を用いることや、非常に軽量な分銅受け装置に組み合わせた幅の狭い分銅セットを実現するために分銅の配置を最適化することも考えられる。分銅の分銅受け装置への載せ下ろしを同一の駆動ユニットを備えた同一のリフターユニットで行い、それぞれの分銅にリフター／駆動ユニットを一つずつ割り当てることも可能である。細長い分銅が円形や楕円形の断面を有することも考えられる。
【００４２】
原理的には、上記の分銅は、比較的大きな荷重を極めて正確に計量しなければならないすべての秤に使用できる。あるいは、小さい荷重のために設計された秤に、本発明による分銅セットを校正用分銅セットとして組み込んでもよいが、この場合、分銅の重さは上記の実施例とは異なる小さなものになる。本発明による分銅セットを備えた小秤量の秤を、考えうる最高の正確さを得るために上記の思想に類似した機械的・電子的補償方法を用いて操作することも考えられる。
【図面の簡単な説明】
【図１】内蔵式分銅セットを備えた比較測定秤の一部を示す斜視図
【図２】リフターユニット用ホルダー装置を備えた分銅セットを示す斜視図
【図３】本発明による分銅セットの分銅受け装置を示す斜視図
【図４】リフターユニットのホルダー装置を示す斜視図
【図５】本発明による分銅セットを横方向から三次元的に示す図
【符号の説明】
１  ハウジング
２  分銅セット
３  脚
４  計量セルハウジング
５  接続片
６  長方形凹部
７  シールド装置
８  上部フロントパネル
９  サイドパネル
１０  リアパネル
１１、１１´  プレート
１２  中間床
１３  底床
１４、１４´  分銅用開口部
１５  ８ｋｇの分銅
１６  リフターユニットの後面
１７  リフターユニット
１８、１８´  リフターユニット用開口部
１９  分銅受け装置
２１  スペーサユニット
２２  安定材
２３  接続バー
２４  連結部材
２５  ４ｋｇの分銅
２６  ２ｋｇの分銅
２７  ５００ｇの分銅
２８  ２５０ｇの分銅
２９  １２５ｇの分銅
３０  キャリアプレート
３１  横方向に延びる部材
３２  分銅用開口部
３３  リフターユニット用開口部
３４  キャリア
３５  ねじ孔
３６、３７  凹部
３８  リフターボルト
３９  Ｖ字形切込み
４０  ホルダー装置
４１  接続バー
４２  駆動ユニット
４３  モータ
４４  円筒形本体
４５  孔
４６  駆動シャフト
４７  ディスク
４８、４８´  ペグ
【図１】
0003968002.tif 000002
【図２】
0003968002.tif 000003
【図３】
0003968002.tif 000004
【図４】
0003968002.tif 000005
【図５】
0003968002.tif 000006